(57)【要約】【課題】作業者が作業者一人でも容易に刈取ユニットを固定することができるようにする。【解決手段】左右一対の分草板４１・４１と、該分草板４１・４１の後方に配設する搬送装置４２と、該搬送装置４２の下方に配設する刈刃４４とを備える刈取ユニット４０を、取付フレーム４６に対して上下方向に回動可能に支持するコンバインの刈取装置５において、前記刈取ユニット４０の分草板４１と搬送装置４２とを支持する搬送フレーム５４の前部に刈取ユニット４０を上方へ回動した状態に固定するロック部材１００を設け、取付フレーム４６にロック部材１００の受部材１０２を設けた。【選択図】図４
2006254772.tif 000002
【特許請求の範囲】
【請求項１】
左右一対の分草板と、該分草板の後方に配設する搬送装置と、該搬送装置の下方に配設する刈刃とを備える刈取ユニットを、取付フレームに対して上下方向に回動可能に支持するコンバインの刈取装置において、前記刈取ユニットの前部に刈取ユニットを上方へ回動した状態に固定するロック部材を設け、取付フレームにロック部材の受部材を設けたことを特徴とするコンバインの刈取装置。
【請求項２】
左右一対の分草板と、該分草板の後方に配設する搬送装置と、該搬送装置の下方に配設する刈刃とを備える刈取ユニットを、取付フレームに対して上下方向に回動可能に支持するコンバインの刈取装置において、前記刈取ユニットの前部に刈取ユニットを下方へ回動した状態に固定するロック部材を設け、取付フレームにロック部材の受部材を設けたことを特徴とするコンバインの刈取装置。
【請求項３】
前記ロック部材を搬送フレームに上下方向に回動可能に支持し、該搬送フレームにロック部材の受部材を設けたことを特徴とする請求項１又は請求項２に記載のコンバインの刈取装置。
【請求項４】
前記ロック部材を伸縮可能に構成したことを特徴とする請求項１乃至請求項３のいずれか一項に記載のコンバインの刈取装置。
【請求項５】
前記ロック部材を分草板を搬送フレームに支持する支点軸で支持したことを特徴とする請求項１乃至請求項４のいずれか一項に記載のコンバインの刈取装置。
【発明の詳細な説明】
【技術分野】
【０００１】
本発明は、複数の刈取ユニットを備えてコンバインの前部に設けられる刈取装置の構成に関する。
【背景技術】
【０００２】
従来から、コンバインにおいては、機体前部に掻込リールと刈刃などからなる刈取装置の代わりに、大豆などを刈り取るロークロップヘッダ装置として複数の刈取ユニットからなる刈取装置を装着する構成が公知となっている。刈取装置の各刈取ユニットは、左右一対の分草板や、分草板の後方に配設する搬送装置、搬送装置の下方に配設する刈刃などからなり、分草板で分草された穀稈を搬送装置で後方に搬送し、該穀稈の搬送過程において刈刃で切断した後、該穀稈を脱穀装置にフィーダハウスを介して連通するプラットホーム内まで搬送するように構成されている。
【０００３】
このような刈取ユニットはプラットホームに取り付けられた取付フレームに上下方向に回動可能に支持されている。そして、取付フレームにロック部材が設けられる一方、刈取ユニットの分草板や搬送装置を支持する搬送フレームの後部にロック部材の受部が設けられ、刈取ユニットの前部を取付フレームに対し上方に回動した状態で、取付フレームのロック部材を搬送フレームの受部材に固定することで、刈取ユニットが上方に回動した状態に保持されるように構成されていた（例えば、特許文献１参照）。
【特許文献１】特開２００４−２４０２３号公報
【発明の開示】
【発明が解決しようとする課題】
【０００４】
しかし、従来のようなコンバインの刈取装置において、分草板や搬送装置を上方へ回動した状態に保持する場合、作業者は刈取ユニットを上方へ回動したままの状態でロック部材を操作する必要があるが、ロック部材が刈取ユニットの後側に設けられていたため、手が届き難く、一人で作業を行うことが困難となっていた。さらに、ロック部材が刈取ユニットの搬送装置付近まで上方へ突出されていたので、穀稈の刈取作業時に搬送装置にて搬送される穀稈がロック部材に引っ掛かることがあった。また、刈取ユニットを固定する際には、かならず上方へ回動した状態にする必要があり、作業性が悪くなっていた。
【課題を解決するための手段】
【０００５】
本発明の解決しようとする課題は以上の如くであり、次にこの課題を解決するための手段を説明する。
【０００６】
即ち、請求項１においては、左右一対の分草板と、該分草板の後方に配設する搬送装置と、該搬送装置の下方に配設する刈刃とを備える刈取ユニットを、取付フレームに対して上下方向に回動可能に支持するコンバインの刈取装置において、前記刈取ユニットの前部に刈取ユニットを上方へ回動した状態に固定するロック部材を設け、取付フレームにロック部材の受部材を設けたものである。
【０００７】
請求項２においては、左右一対の分草板と、該分草板の後方に配設する搬送装置と、該搬送装置の下方に配設する刈刃とを備える刈取ユニットを、取付フレームに対して上下方向に回動可能に支持するコンバインの刈取装置において、前記刈取ユニットの前部に刈取ユニットを下方へ回動した状態に固定するロック部材を設け、取付フレームにロック部材の受部材を設けたものである。
【０００８】
請求項３においては、前記ロック部材を搬送フレームに上下方向に回動可能に支持し、該搬送フレームにロック部材の受部材を設けたものである。
【０００９】
請求項４においては、前記ロック部材を伸縮可能に構成したものである。
【００１０】
請求項５においては、前記ロック部材を分草板を搬送フレームに支持する支点軸で支持したものである。
【発明の効果】
【００１１】
本発明の効果として、以下に示すような効果を奏する。
【００１２】
請求項１においては、刈取ユニットをロック部材にて簡単な作業で、上方に回動した状態に固定することができる。また、刈取ユニットの前側にロック部材が配置されることになるため、刈取ユニットをロック部材にて上方に回動した状態に固定する際に、作業者は刈取ユニットを持ち上げながらでもロック部材を操作しやすくなり、一人でも容易に刈取ユニットを固定することができる。
【００１３】
請求項２においては、刈取ユニットをロック部材にて簡単な作業で、上方に回動した状態に固定することができる。また、作業者が刈取ユニットを持ち上げることなくロック部材のみの操作で固定することが可能となる。そのため、刈取ユニットの固定作業時の労力を軽減して、作業性の向上を図ることができる。
【００１４】
請求項３においては、前記ロック部材を搬送フレームの直下方に配置した状態に固定することができる。したがって、ロック部材が搬送装置によって搬送される穀稈の搬送経路に突出することがなくなり、穀稈のロック部材への引っ掛かりを防止することができる。
【００１５】
請求項４においては、ロック部材の全長を調節して、刈取ユニットを任意の高さにまで移動して固定することができる。よって、刈取ユニットの固定状態の確実性を高めることが可能となる。
【００１６】
請求項５においては、前記ロック部材を簡単な構造で刈取ユニットに設けることができる。
【発明を実施するための最良の形態】
【００１７】
図１は本発明の一実施例に係る刈取装置を装着したコンバインの側面図、図２は同じく平面図、図３は刈取ユニットの構成を示した側面図、図４は刈取ユニットを固定した状態を示す側面図、図５は別実施例の刈取ユニットの構成を示した側面図、図６は別実施例の刈取ユニットを固定した状態を示す側面図である。
【００１８】
まず、本発明に係る刈取装置を装着したコンバインの全体構成について説明する。なお、本実施例においては、大豆用コンバインを用いて説明する。
【００１９】
図１、図２に示すように、クローラ式走行装置１上に機体フレーム２が戴置され、該機体フレーム２上に脱穀装置３及び選別装置４が設けられている。そして、脱穀装置３の前方に刈取装置５が設けられて、コンバインはクローラ式走行装置１で圃場を走行移動しながら穀稈を刈取装置５で連続的に刈り取り、刈取後の穀稈を脱穀装置３で脱穀することができるように構成されている。
【００２０】
そしてさらに、前記脱穀装置３及び選別装置４の側方に脱穀装置３から選別装置４を経て選別された穀粒を揚穀コンベア６を介して貯溜する穀物タンク７が設けられ、該穀物タンク７の後方及び上方に穀粒排出装置８が設けられて、コンバインは穀物タンク７内の穀粒を穀粒排出装置８で機体外部に搬出することができるように構成されている。また、穀物タンク７の前方に各装置を操作するための操作手段を備えるキャビン９が設けられている。
【００２１】
次に、前記刈取装置５について説明する。
【００２２】
図１、図２に示すように、刈取装置５には、複数の（本実施例では二つの）刈取ユニット４０・４０、プラットホーム３１、横送りオーガ３２、フィーダハウス３３などが備えられ、前記脱穀装置３に連通されたフィーダハウス３３の前端にプラットホーム３１が固設され、該プラットホーム３１の前端に取り付けられた取付フレーム４６に刈取ユニット４０・４０が上下方向に回動可能に支持されている。
【００２３】
そして、前記プラットホーム３１内に横送りオーガ３２が横設され、該横送りオーガ３２によって刈取ユニット４０・４０で刈り取られ且つ後方に搬送された穀稈が後方へ送り出され、フィーダハウス３３に内装された搬送コンベア３５により脱穀装置３へ搬送されるように構成されている。また、フィーダハウス３３と機体フレーム２との間にはシリンダ３６が介装され、該シリンダ３６の伸縮作動によって刈取りユニット４０・４０を含む刈取装置５が昇降可能とされている。
【００２４】
前記刈取ユニット４０は、図３に示すように、分草板支持フレーム７２の前端に平面視「Ｖ」字状に分草杆を備える分草板４１や、分草板４１で分草された穀稈の葉茎部を後上方に搬送する搬送装置４２、搬送装置４２により搬送される穀稈の茎部を搬送始端部側の地面近くにおいて切断する、前方下方に傾斜した円盤型の刈刃４４、これらの対地高さを一定に保持するゲージホイル４３などから構成されている。
【００２５】
前記刈取ユニット４０においては、プラットホーム３１に連結された取付フレーム４６上の左右両側に支持部４７・４７が立設され、該支持部体４７・４７に駆動軸４８及び搬送用駆動軸４９が横架され、該搬送用駆動軸４９を外嵌する伝動パイプ５０が支持部４７・４７に対し回動自在に枢支されている。そして、伝動パイプ５０の中途部に適宜間隔をあけてギヤケース５１・５１が設けられ、該ギヤケース５１・５１から上方に伝動軸を内装した駆動ケース５２・５２が立設されて、該駆動ケース５２・５２及び取付フレーム４６から立設された支持フレーム５３・５３の上端に搬送フレーム５４・５４が固設されている。
【００２６】
前記搬送フレーム５４・５４上には搬送装置４２が前低後高となるように設けられている。搬送装置４２は、左右一対の搬送体５５・５５から構成されている。左右の各搬送体５５は無端帯の搬送用ベルト５６を搬送体５５の後端部で軸支された駆動プーリと、前端部で軸支された従動プーリとで巻回支持して構成され、搬送カバー５９で覆われている。
【００２７】
各搬送用ベルト５６には、一定長さの突起５６ａが前後方向に所定間隔ごとに付設され、搬送用ベルト５６の搬送面に上下二列となるように配置されている。そして、これらの左右の搬送用ベルト５６・５６が搬送用駆動軸４９から伝動軸を介して駆動力を得て互いに向かい合って反対方向に回転され、搬送装置４２前端の突起５６ａ・５６ａ・・・で刈取前の穀稈を引き込み、搬送用ベルト５６・５６間で挟持して、搬送用ベルト５６・５６の間に構成される搬送経路に沿って後方へ搬送するように構成されている。
【００２８】
また、左右の各搬送フレーム５４の前部には支持ステー７０が支点軸７１で回動自在に支持され、該支持ステー７０に分草板支持フレーム７２の中途部が固設されている。該分草板支持フレーム７２の前端に分草板４１が固設されて、分草板４１が支点軸７１を支点として上下方向に回動可能とされている。またさらに、搬送フレーム５４の前部に支持ロッド７３の基部が支点軸７４で回動自在に支持され、該支持ロッド７３に分草板支持フレーム７２の後端に設けられた摺動体７５が外嵌されている。そして、該摺動体７５が支持ロッド７３の下部に設けられたバネで付勢されて、分草板４１の下方への回動が規制されている。
【００２９】
また、前記ギヤケース５１・５１の一側には搬送用駆動軸４９と平行に刈取駆動軸６７が軸支され、該刈取駆動軸６７に駆動ケース６８の後端部が支持され、該駆動ケース６８の先端部が前下方へ延設されている。該駆動ケース６８の先端部上面には前上方へ突出するように刈刃軸６９が回転自在に支承され、該刈刃軸６９に刈刃４４が固設されている。そして、該刈刃４４が搬送装置４２の前部下方で前下方に傾斜するように配置され、刈取駆動軸６７から駆動ケース６８内の動力伝達機構を介して駆動力を得て回転するように構成されている。
【００３０】
このようにして、刈取ユニット４０・４０は分草板４１で案内された穀稈が搬送装置４２の先端に達すると、左右の各搬送用ベルト５６に付設された突起５６ａ・５６ａ・・・・により後方へ取り込まれて、搬送装置４２の搬送経路に沿って搬送され、その途中で刈刃４４により切断された後、穀稈が更に後方へ搬送されて、搬送装置４２の後端から該搬送装置４２の後方に配設されたプラットホーム３１内の横送りオーガ３２に搬送されるように構成されている。
【００３１】
また、各刈取ユニット４０においては、搬送装置４２の左右一側で搬送フレーム５４の前部にＬ字状のアーム８０の一側端部が支点軸８１にて上下方向に回動可能に支持され、該アーム８０の他側端部にゲージホイル４３が回転自在に支持されている。また、搬送フレーム５４の前後中央部に左右一側に突出するように支持フレーム８２が設けられ、該支持フレーム８２に上方に突出するようにブラケット８３が設けられている。そして、前記アーム８０の中央部とブラケット８３との間にシリンダ８４が介装され、該シリンダ８４の伸縮動作によりアーム８０が支点軸８１を中心として回動されて、ゲージホイル４３の上下位置が調節可能とされている。
【００３２】
そして、ゲージホイル４３の上下動しながら畝と畝との間の地面上を転動する際に、搬送フレーム５４が搬送用駆動軸４９を支点として上下方向に回動されて、穀稈の刈取作業時には刈取ユニット４０の分草板４１や搬送装置４２、刈刃４４がゲージホイル４３によって畝と畝との間の地面の高さに追従して昇降され、その対地高さが一定に保持されるように構成されている。
【００３３】
さらに、前記支持部４７・４７の一側にロッド８６の基部が枢支され、該ロッド８６の中途部に摺動体８７が外嵌されて、該摺動体８７に突設されたピン８８が搬送フレーム５４の後部に枢結されている。そして、摺動体８７がロッド８６の先端部に設けたバネ８９で付勢されて、搬送フレーム５４の前部が搬送用駆動軸４９を支点として上方へ回動され、前記ゲージホイル４３の接地荷重が軽減されている。このようにして、ゲージホイル４３が接地面の凹凸に敏感に反応するように構成されて、刈取ユニット４０の地面に対する追従性の向上が図られている。
【００３４】
また、前記刈取ユニット４０は、搬送フレーム５４が下方へ回動するときに支持フレーム８２に下方へ突出するように設けられた規制部材９０が取付フレーム４６の前端部に設けられた規制部材９０の受部４６ａに当接することで、その下方への回動が規制されるように構成されている。
【００３５】
そしてさらに、図３、図４に示すように、前記刈取ユニット４０の前側にロック部材１００が設けられて、刈取ユニット４０を固定するロック機構が設けられている。つまり、刈取ユニット４０の前部にオペレーターが位置したときに手の届く範囲にロック部材１００が配置されて、持ち上げて固定する際の操作が容易にできるようにしている。該ロック部材１００は棒状に構成され、その基部（前上部）が搬送フレーム５４の前部に前記支持ロッド７３を軸支する支点軸７４で回動自在に支持される一方、後方に延設した先端部に側面視コ字状の係合部１００ａが形成されている。そして、搬送フレーム５４の前後中途部に設けられた支持フレーム８２に下方へ突出するようにロック部材１００の受部材１０１が設けられ、該受部材１０１はフック状に構成されて上部が枢支されて、該受部材１０１を回動してロック部材１００を持ち上げた状態で、該受部材１０１にロック部材１００の先端側（後部）が係止可能とされている。言い換えれば、刈取ユニット４０の上下回動支点となる搬送用駆動軸４９よりも前方にロック部材１００と受部材１０１が配置されて、ロック部材１００は受部材１０１よりも更に前上方に配置されている。
【００３６】
また、搬送フレーム５４の下方に配置される前記取付フレーム４６の前端にピン状のロック部材１００の受部材１０２が設けられ、該受部材１０２にロック部材１００の係合部１００ａが係合可能とされている。ここで、該受部材１０２とロック部材１００の左右方向の位置は略一致させて配置し、前記ロック部材１００の全長は刈取ユニット４０を搬送用駆動軸４９を支点として所定の高さまで上方へ回動した状態で、ロック部材１００を支点軸７４を支点として下方へ回動して係合部１００ａを取付フレーム４６の受部材１０２に係合できる長さとされている。
【００３７】
このような構成において、刈取作業が行われるときには、図３に示すように、刈取ユニット４０が前述のように規制部材９０にて規制されるまで下方へ回動された状態で、ロック部材１００が先端側で搬送フレーム５４側の受部材１０１に係止されて、搬送フレーム５４の直下方に配置された状態に固定される。つまり、ロック部材１００は解除位置に保持されている。このようにロック部材１００が搬送装置４２によって搬送される穀稈の搬送経路に突出しないように配置されて、穀稈のロック部材１００への引っ掛かりが防止される。
【００３８】
また、コンバインを輸送するときなどで、刈刃４４等が痛まないように刈取ユニット４０を持ち上げた状態で固定する必要がある場合には、図４に示すように、刈取ユニット４０が所定の高さまで上方へ回動された後、ロック部材１００が回動されてその係合部１００ａが取付フレーム４６側の受部材１０２に係合される。こうして、搬送フレーム５４と取付フレーム４６との間にロック部材１００が介装されて、刈取ユニット４０が上方へ回動した状態に固定される。
【００３９】
つまり具体的操作として、刈取ユニット４０を持ち上げた状態で固定する場合は、ロック部材１００を搬送フレーム５４側の受部材１０１から取り外して下方へ回動して受部材１０２に当接させた状態とする。そして、刈取ユニット４０を規制部材９０で規制される位置まで下方へ回動した状態から上方へ回動させる。こうすることで、ロック部材１００の係合部１００ａが取付フレーム４６側の受部材１０２に係合されて、該ロック部材１００が刈取ユニット４０と取付フレーム４６との間で突っ張るようになる。なお、受部材１０２の上側のプレートを下側より長くすることで、容易に係合することができる。そして、もしもうまく係合できなくても、刈取ユニット４０の前端からロック部材１００までの距離はオペレーターの手が届く範囲に設定しておくことで、容易にロック部材１００の操作ができるのである。よって、このように刈取ユニット４０を持ち上げるという簡単な作業で、刈取ユニット４０を容易に固定することができる。逆に、ロックを解除する場合には、ロック状態から刈取ユニット４０を若干持ち上げて、ロック部材１００を上方へ回動することで、ロック部材１００の係合部１００ａと取付フレーム４６側の受部材１０２との係合を解除することができ、該ロック部材１００を更に上方へ回動することで、その先端側は搬送フレーム５４に設けた受部材１０１に係止することができる。そして、刈取ユニット４０を規制部材９０で規制される位置まで下方へ回動させるという簡単な作業で、刈取ユニット４０の固定を容易に解除することができる。
【００４０】
また、前述のように刈取ユニット４０を取付フレーム４６に対し上方へ回動した状態に固定する際、作業者は刈取ユニット４０を持ち上げながらロック部材１００を操作する必要があるが、ロック部材１００が刈取ユニット４０の後側に設けられた従来とは異なり、刈取ユニットの前側搬送フレームの前側に設けられているため、ロック部材１００を操作しやすくなり、一人で容易に刈取ユニット４０の固定作業を行うことができる。
【００４１】
さらに、ロック部材１００を刈取ユニット４０の分草板４１を搬送フレーム５４に支持する支点軸７４で支持する構成としているため、従来の構成と比べて部品点数が増えるここともなく、ロック部材１００を簡単な構造で刈取ユニット４０に設けることができる。
【００４２】
また、刈取ユニット４０を固定するロック機構は次のように構成することもできる。
【００４３】
図５、図６に示すように、前記刈取ユニット４０の前側にロック部材１２０が設けられて、刈取ユニット４０を固定するロック機構が設けられている。ロック部材１２０は棒状に構成され、その基部が搬送フレーム５４の前部に前記支持ロッド７３を軸支する支点軸７４で回動自在に支持される一方、先端部にＪ字形状の係合部１２０ａが形成されている。そして、搬送フレーム５４の前後中途部に設けられ支持フレーム８２に下方へ突出するようにロック部材１２０の受部材１２１が設けられ、該受部材１２１にロック部材１２０の係合部１２０ａが係止可能とされている。
【００４４】
また、搬送フレーム５４の下方に配置される前記取付フレーム４６の前端にピン状のロック部材１２０の受部材１２２が設けられ、該受部材１２２にロック部材１２０の係合部１２０ａが係合可能とされている。ここで、前記ロック部材１２０の全長は刈取ユニット４０は搬送用駆動軸４９を支点として規制部材９０で規制されるまで下方へ回動した状態で、ロック部材１２０を支点軸７４を支点として回動して係合部１２０ａを取付フレーム４６の受部材１２２に係合できる長さとされている。
【００４５】
そしてさらに、本実施例では、前記ロック部材１２０が伸縮可能に構成されて、その全長が調節可能とされている。例えば、ロック部材１２０が中央部で分割され、その間にターンバックル１２５が設けられる。そして、筒状のターンバックル１２５の一側にロック部材１２０の基部側に設けられたネジ部が螺入される一方、ターンバックル１２５の他側にロック部材１２０の先端部側に設けられたネジ部が螺入され、ターンバックル１２５の回転によりターンバックル１２５内でのロック部材１２０の両側のネジ部の位置が調整されて、ロック部材１２０が伸縮可能とされている。こうして、ロック部材１２０の全長が容易に調節可能とされている。
【００４６】
このような構成において、刈取作業が行われるときには、前記同様に刈取ユニットが規制部材にて規制されるまで下方へ回動された状態で、図５に示すように、ロック部材１２０が回動されてその係合部１２０ａが搬送フレーム５４側の受部材１２１に係止されて、搬送フレーム５４の直下方に配置された状態に固定される。このようにロック部材１２０が搬送装置４２によって搬送される穀稈の搬送経路に突出しないように配置されて、穀稈のロック部材１２０への引っ掛かりが防止される。
【００４７】
また、コンバインを輸送するときなどに刈取ユニット４０を固定する必要がある場合には、図６に示すように、刈取ユニット４０が規制部材９０で規制されるまで下方へ回動された状態で、ロック部材１２０が回動されてその係合部１２０ａが取付フレーム４６側の受部材１２２に係合される。この状態を保ちたい場合には、ターンバックル１２５を回動してロック部材１２０の全長が短くなるように締め付ける。こうして、搬送フレーム５４と取付フレーム４６との間にロック部材１２０が介装されて、刈取ユニット４０が下方へ回動した状態に固定される。
【００４８】
つまり、刈取ユニット４０を上方へ回動することなく、規制部材９０で規制されるまで下方へ回動した状態のまま、ロック部材１２０を搬送側の受部材１２１から取り外して、ロック部材１２０の係合部１２０ａを取付フレーム４６側の受部材１２２に係合させるだけの簡単な作業で、刈取ユニット４０を容易に固定することができる。逆に、刈取ユニット４０をロック部材１２０にて固定した状態では、ロック部材１２０を上方へ回動し、ロック部材１２０の係合部１２０ａと取付フレーム４６側の受部材１０２との係合を解除して、該係合部１２０ａを搬送フレーム５４側の受部材１２１に係止するという簡単な作業で、刈取ユニット４０の固定状態の解除を行うことができる。
【００４９】
このように、作業者は刈取ユニット４０の固定状態を、刈取ユニット４０を持ち上げずにロック部材１２０のみを操作して変更することができる。したがって、作業時の労力を軽減して、作業性の向上を図ることができる。
【００５０】
また、前述のように刈取ユニット４０を固定したときに、ターンバックル１２５でロック部材１２０の全長を調節することで、刈取ユニット４０を任意の高さにまで移動して固定することができる。そのため、刈取ユニット４０の固定状態の確実性を高めることが可能となる。
【図面の簡単な説明】
【００５１】
【図１】本発明の一実施例に係る刈取装置を装着したコンバインの側面図。
【図２】同じく平面図。
【図３】刈取ユニットの構成を示した側面図。
【図４】刈取ユニットを固定した状態を示す側面図。
【図５】別実施例の刈取ユニットの構成を示した側面図。
【図６】別実施例の刈取ユニットを固定した状態を示す側面図。
【符号の説明】
【００５２】
５    刈取装置
４０    刈取ユニット
４１    分草板
４２    搬送装置
４４    刈刃
４６    取付フレーム
５４    搬送フレーム
７４    支点軸
１００    ロック部材
１０１    受部材
１０２    受部材
１２０    ロック部材
１２１    受部材
１２２    受部材
【図１】
2006254772.tif 000003
【図２】
2006254772.tif 000004
【図３】
2006254772.tif 000005
【図４】
2006254772.tif 000006
【図５】
2006254772.tif 000007
【図６】
2006254772.tif 000008